(57)【要約】【課題】ネット上の公証役場が通信端末等から預託者の遺言を登録させ、預託者が死亡した場合に遅滞なく遺族等関係者に遺言書の存在と所在を告知するシステムを提供することを目的とする。【解決手段】遺言書管理者の遺言書管理サーバがインターネットを介して預託者から預託された遺言書を管理するシステムであって、遺言書管理サーバは、インターネット上に公証役場のホームページを開設し、遺言書登録端末は、ネットを介して前記公証役場に預託者の遺言書を登録し、預託者端末は、前記預託者の行動情報を遺言書管理サーバに提供し、遺言書管理サーバは、預託者端末が提供する行動情報を所定の基準に基づいて分析し、行動情報が所定の基準を逸脱した時に、遺言書に登録された遺族通信端末に預託者の生存確認依頼メッセージを送信し、遺族通信端末から送信された預託者の死亡情報に基づいて遺族通信端末に登録された遺言書を開示する。【選択図】  図１
2006059283.tif 000002
【特許請求の範囲】
【請求項１】
遺言書管理者の遺言書管理サーバがインターネットを介して預託者から預託された遺言書を管理するシステムであって、
遺言書管理サーバと、前記遺言書管理サーバにネット上で接続された遺言書登録端末と、預託者端末と、遺族通信端末とを有し、
遺言書管理サーバは、インターネット上に公証役場のホームページを開設し、遺言書登録端末は、ネットを介して前記公証役場に預託者の遺言書を登録し、預託者端末は、前記預託者の行動情報を遺言書管理サーバに提供し、遺言書管理サーバは、預託者端末が提供する行動情報を所定の基準に基づいて分析し、行動情報が所定の基準を逸脱した時に、遺言書に登録された遺族通信端末に預託者の生存確認依頼メッセージを送信し、遺族通信端末から送信された預託者の死亡情報に基づいて遺族通信端末に登録された遺言書を開示することを特徴とする遺言書管理システム。
【請求項２】
請求項１に記載の遺言書管理システムにおいて、
預託者端末は、預託者が所持する携帯電話、または、固定電話であることを特徴とする遺言書管理システム。
【請求項３】
請求項１〜２何れか１項に記載の遺言書管理システムにおいて、
預託者端末から遺言書管理サーバに提供される行動情報は、電話の送信情報，電子メールの送信情報，歩数の何れかまたは組み合せであり、電信電話事業者またはインターネットプロバイダから収集されることを特徴とするものである。
【請求項４】
請求項１〜３何れか１項に記載の遺言書管理システムにおいて、
少なくとも遺言書管理サーバと、遺言書登録端末および遺族通信端末の間で送受信される情報には電子署名が添付され、前記送受信される情報は暗号化された情報であることを特徴とする遺言書管理システム。
【請求項５】
請求項１〜４何れか１項に記載の遺言書管理システムにおいて、
遺言書管理サーバは、預託者の預金口座から預託管理費を徴収することを特徴とする遺言書管理システム。
【発明の詳細な説明】
【技術分野】
【０００１】
本発明は、遺言書管理システムに関し、詳しくは、ネット上の公証役場が通信端末等から預託者の遺言を登録させ、預託者が死亡した場合に遅滞なく遺族等関係者に遺言書の存在と所在を告知する遺言書管理システムに関する。
【背景技術】
【０００２】
従来、遺言書や、内容証明等は、弁護士などに預託するケースがほとんどであるが、近年インターネットの普及に伴い、ネットワーク上でこれら遺言書や、内容証明等の預託を行う技術が多数提案されている（例えば、特許文献１，特許文献２参照。）。
しかし、本人が遺族に遺言の存在を隠していたために、遺言が存在していたにもかかわらず告知が遅れ、遺産相続時に混乱した事例は跡を絶たない。
そのため、遺言書などを扱う場合は、本人の死亡確認手段と連携したシステムが求められてきた。
しかし本人の生存確認方法が不明確（例えば、特許文献３参照。）であったり、あったとしても預託者に対してメールを定期的に送り続けるような方法（例えば、特許文献４参照。）であったりで、預託者にとって煩わしいものであった。
その他、生存確認だけを行う先行技術（例えば、特許文献５，特許文献６，特許文献７参照。）があるが、生存検出手段が大掛かりで費用が膨大であったり、検出のための装置を常時装着しなければならないなどの不便さがあった。
【０００３】
【特許文献１】特開２００２−２７９２０３号公報
【特許文献２】特開２００３−６３１７号公報
【特許文献３】特開２００２−２７９２０３号公報
【特許文献４】特開２００２−１８３３３２号公報
【特許文献５】特開平０９−２８６８１号公報
【特許文献６】特開２００１−２３６５８３号公報
【特許文献７】特開２００４−７０７４４号公報
【発明の開示】
【発明が解決しようとする課題】
【０００４】
そこで本発明は、ネット上の公証役場が通信端末等から預託者の遺言を登録させ、預託者が死亡した場合に遅滞なく遺族等関係者に遺言書の存在と所在を告知するシステムを提供することを目的とする。
【課題を解決するための手段】
【０００５】
前記課題の目的を達成するために、本発明の遺言書管理システムの請求項１に記載の発明は、遺言書管理者の遺言書管理サーバがインターネットを介して預託者から預託された遺言書を管理するシステムであって、遺言書管理サーバと、前記遺言書管理サーバにネット上で接続された遺言書登録端末と、預託者端末と、遺族通信端末とを有し、遺言書管理サーバは、インターネット上に公証役場のホームページを開設し、遺言書登録端末は、ネットを介して前記公証役場に預託者の遺言書を登録し、預託者端末は、前記預託者の行動情報を遺言書管理サーバに提供し、遺言書管理サーバは、預託者端末が提供する行動情報を所定の基準に基づいて分析し、行動情報が所定の基準を逸脱した時に、遺言書に登録された遺族通信端末に預託者の生存確認依頼メッセージを送信し、遺族通信端末から送信された預託者の死亡情報に基づいて遺族通信端末に登録された遺言書を開示することを特徴とするものである。
【０００６】
また、請求項２に記載の発明は、請求項１に記載の発明において、預託者端末は、携帯電話、または、固定電話であることを特徴とするものである。
【０００７】
また、請求項３に記載の発明は、請求項１〜２何れか１項に記載の発明において、預託者端末から遺言書管理サーバに提供される行動情報は、電話の送信情報，電子メールの送信情報，歩数の何れかまたは組み合せであり、電信電話事業者、または、インターネットプロバイダから収集されることを特徴とするものである。
【０００８】
また、請求項４に記載の発明は、請求項１〜３何れか１項に記載の発明において、少なくとも遺言書管理サーバと、遺言書登録端末および遺族通信端末の間で送受信される情報には電子署名が添付され、前記送受信される情報は暗号化された情報であることを特徴とするものである。
【０００９】
また、請求項５に記載の発明は、請求項１〜４何れか１項に記載の発明において、遺言書管理サーバは、預託者の預金口座から預託管理費を徴収することを特徴とするものである。
【発明の効果】
【００１０】
１）請求項１に記載のように、遺言書管理者の遺言書管理サーバがインターネットを介して預託者から預託された遺言書を管理するシステムであって、遺言書管理サーバと、前記遺言書管理サーバにネット上で接続された遺言書登録端末と、預託者端末と、遺族通信端末とを有し、遺言書管理サーバは、インターネット上に公証役場のホームページを開設し、遺言書登録端末は、ネットを介して前記公証役場に預託者の遺言書を登録し、預託者端末は、前記預託者の行動情報を遺言書管理サーバに提供し、遺言書管理サーバは、預託者端末が提供する行動情報を所定の基準に基づいて分析し、行動情報が所定の基準を逸脱した時に、遺言書に登録された遺族通信端末に預託者の生存確認依頼メッセージを送信し、遺族通信端末から送信された預託者の死亡情報に基づいて遺族通信端末に登録された遺言書を開示することによって、預託者が生活している中で無意識に発信している行動情報により預託者の生活状況が把握できるため、また、異常時には遺族に対しても確認情報が送信されるために、条件の設定方法によっては安全確認の手段としても利用できる。
２）また、請求項２に記載のように、請求項１に記載の発明において、預託者端末は、携帯電話、または、固定電話であることによって預託者の行動状況を把握することが可能になる。
３）また、請求項３に記載のように、請求項１〜２何れか１項に記載の発明において、預託者端末から遺言書管理サーバに提供される行動情報は、電話の送信情報，電子メールの送信情報，歩数の何れかまたは組み合せであり、電信電話事業者、または、インターネットプロバイダから収集されることによって、複数の要素によって行動状況が把握でき、異常発見確度が高まる。
４）また、請求項４に記載のように、請求項１〜３何れか１項に記載の発明において、少なくとも遺言書管理サーバと、遺言書登録端末および遺族通信端末の間で送受信される情報には電子署名が添付され、前記送受信される情報は暗号化された情報であることによって、遺言書に記載された内容が漏洩して改竄されることがない。
５）また、請求項５に記載のように、請求項１〜４何れか１項に記載の発明において、遺言書管理サーバは、預託者の預金口座から預託管理費を徴収することによって、公証役場の管理人が集金のために連絡を取り合うことによる通信費等を節約することができる。
【発明を実施するための最良の形態】
【００１１】
以下、図面を参照して、本発明の遺言書管理システムについて説明する。
図１は、本発明の遺言書管理システムの装置構成と、それぞれの装置の役割について説明するための図，図２は、遺言書管理サーバの機能について説明するための図，図３は、預託者端末の機能について説明するための図，図４は、遺言書登録端末の機能について説明するための図，図５は、遺族通信端末の機能について説明するための図，図６は、遺言書管理サーバによる遺言書登録手順について説明するための図，図７は、遺言書登録端末による遺言入力，送信手順について説明するための図，図８は、遺言書管理サーバによる登録内容の編集，管理マスター作成手順について説明するための図，図９は、遺言書管理サーバによる行動情報把握手順，遺族への連絡手順について説明するための図，図１０は、遺言書管理サーバによる遺言書送信手順について説明するための図，図１１は、遺言書管理サーバによる預託管理費徴収手順について説明するための図，である。
【００１２】
図１を参照して、本発明の遺言書管理システムの装置構成と、それぞれの装置の役割について説明する。
遺言書管理システムは、少なくとも、遺言書の管理を依頼する遺言などの預託者（以下、預託者という。）と、遺言書を管理する遺言書管理者（以下、公証役場という。）と、遺族で運用される。その他に、預託者端末に接続されて、預託者端末の使用状況を管理する団体、例えば、預託者端末が固定電話であれば電信電話会社またはインターネットサービスプロバイダー、携帯電話であれば携帯電話会社が介入する。
本発明の遺言書管理システムを構成する装置および関連機関は、遺言書を管理する公証役場等の遺言書管理サーバ１，遺言書管理サーバに接続され公証役場が提供する公証役場のホームページの遺言書登録画面１１，遺言書管理サーバに接続された預託者管理マスター１２，遺族管理マスター１３，契約書管理マスター１４、さらに、ネット上で接続された前記預託者端末２，同じくネット上で接続された遺言書登録端末３，同じくネット上で接続された遺族通信端末４，電信電話会社５，図示しないが前述の携帯電話会社などである。
【００１３】
預託者は、遺言書登録端末３で公証役場のホームページにアクセスし、遺言書登録画面１１を表示して遺言を登録する。
遺言内容は、遺言書登録画面に表示された案内にしたがって入力する。
遺言書登録の際に、連絡先として記載した単数または、複数の遺族の電子メールアドレス，電話番号，ＦＡＸ番号等を入力する。
また、預託者が現在も使用し、今後も継続して使用する預託者端末２の預託者端末情報、例えば、携帯電話であれば電子メールアドレスと電話番号を、固定電話であれば電話番号を入力する。
【００１４】
入力された遺言情報は、遺言書管理サーバ１で編集され、共通の検索コードが付与されて前述の管理マスターに分割ファイルされる。
例えば、入力画面に入力された契約書内容は契約書管理マスター１４に、入力された遺族の電子メールアドレス，電話番号は遺族管理マスター１３に、預託者の電子メールアドレスと電話番号は預託者管理マスター１２にファイルされる。
この場合各ファイルに格納された遺言関連情報には預託者のＩＤコードが検索コードとして付与（貼付）される。
【００１５】
また、公証役場は、預託者端末２からの情報を管理する電信電話事業者，インターネットプロバイダ等の団体と契約を締結し、定期的に情報を提供してもらう。
例えば、固定電話を管理する電信電話会社５との契約では、定められた期間に固定電話が何回使用されたかを電子的に報告してもらう。
また、携帯電話会社との契約では、定められた期間に預託者から電子メールや電話が何回送信されたかを同様電子的に報告してもらう。
いずれの報告内容にも、電話の相手先番号や内容，電子メールの交信相手先アドレスや内容等は含めない。また、定められた期間は、例えば、毎日，週２回，週１回等で、その他を含め、自由に設定することができる。
【００１６】
図２を参照して、遺言書管理サーバの機能について説明する。
遺言書管理サーバは、少なくとも、公証役場遺言書登録画面配信機能・登録情報管理機能１０１１，行動情報受信機能・分析機能１０１２，送信機能・遺族認証機能・暗号化機能１０１３を有する。
公証役場画面配信機能・登録情報管理機能１０１１は、例えば、インターネットに接続された通信端末に遺言書入力画面を表示する機能，預託者の認証と登録を行う機能，登録内容を編集して専用ファイル（各管理マスターファイル）に分割して格納する機能等である。
また、行動情報受信機能・分析機能１０１２は、例えば、預託者端末の利用情報を受信して分析する機能である。
即ち、携帯電話に搭載された歩行数測定機能に基づいて送信された歩数計情報，電子メールの送信回数，かけた電話回数等の預託者端末の利用情報を受信して分析する機能である。
また、送信機能・遺族認証機能・暗号化機能１０１３は、例えば、登録された遺言関連情報から、送信相手の遺族を抽出する機能，抽出された遺族の宛先に電子メールや音声メッセージを送信する機能，遺族を認証する機能，電子署名を添付したり、送信情報を暗号化する機能等である。
【００１７】
図３を参照して、預託者端末の機能について説明する。
日常使用される固定電話、携帯電話等の預託者端末は、少なくとも、行動情報送信機能２０１１と、受信情報を一時的に格納する機能２０１２を有する。
預託者端末は、前記行動情報送信機能２０１１によって、歩数計歩数や電子メールを送信する。その結果、遺言書管理サーバーは携帯電話会社との契約に基づいてこれらの行動情報を携帯電話会社から収集することができる。
また、受信情報を一時的に格納する情報格納機能２０１２によって、遺言書管理サーバから送信された遺言書管理費の引き落とし情報を受信して格納する。
【００１８】
図４を参照して、遺言書登録端末の機能について説明する。
遺言書登録端末は、キーボード等による入力部，ディスプレイ等による表示部を有するパーソナルコンピュータ、携帯電話などの通信端末である。この遺言書登録端末は、預託者が保有するものでも、公証役場に設置されたものでも、共用できる場所に設置されたものでもよい。遺言書登録端末の機能３０１として、少なくとも、通信機能，Ｗｅｂ画面からの入力機能，送信データの暗号化機能３０１１等を含む。
預託者は、上記の機能を利用してＷｅｂ画面上で預託者の遺言を入力し、公証役場に登録する。
【００１９】
図５を参照して、遺族通信端末の機能について説明する。
遺族通信端末は、少なくとも、入力機能及び入力情報の送受信機能を有する。
この入力機能・送受信機能４０１１を使用して、遺言書管理サーバからの要請に基づいて預託者の状況を確認し、遺言書管理サーバに預託者が生存していれば生存情報を、死亡していれば死亡情報を送信する。
また、暗号化遺言情報を受信して、遺言書に記載された遺族であることを認証し、添付された鍵によって遺言書を復号する。
この認証機能・復号機能４０１２を使用して遺言書を閲覧する。
【００２０】
図６を参照して、遺言書管理サーバによる遺言書登録手順について説明する。
遺言書管理サーバ１は、インターネット上に公証役場のホームページを提供し、Ｗｅｂ上で遺言を登録する遺言登録画面を配信する（ステップ１：以下、Ｓ１という）。
預託者が添付した公開鍵証明書を確認し、遺言書登録画面に入力された遺言情報を添付されている公開鍵で復号し、遺言書の登録を行う（Ｓ２）。添付された公開鍵証明書が預託者本人のものかどうか認証局に問い合わせて確認する。
次に、登録内容の分割などの編集を行う（Ｓ３）。Ｓ３の編集によって、登録された遺言情報を預託者情報，遺族情報，契約情報などに分割し、各情報に預託者のＩＤを添付してそれぞれの専用ファイルに格納する（Ｓ４）。
【００２１】
図７を参照して、遺言書登録端末による遺言入力，送信手順について説明する。
預託者は、遺言書登録端末３のキーボードを使用して遺言情報を入力し、遺言書の登録を行う。
預託者は、事前に秘密鍵，公開鍵を作成して認証局に登録し、公開鍵証明書を取得しておく（Ｓ１０）。遺言書登録端末３でインターネット検索画面を表示し、公証役場のホームページにアクセスする（Ｓ１１）。公証役場のホームページに表示された項目をクリックして遺言書登録画面を開く（Ｓ１２）。
遺言書登録画面に遺言関連情報を入力する（Ｓ１３）。
遺言関連情報入力画面は、例えば、電子フォーム形式で構成されており、それぞれの入力枠には入力機能，演算機能，データ変換機能，サーバ連携機能，電子署名機能等のプログラムが接続されている。
これら、入力枠に、預託者の氏名，本籍，現住所，生年月日、更に相続人の氏名，預託者との続柄、更に、相続する財産の内容などの情報が入力される。
また、遺言関連情報として、預託者の預託者端末の電話番号，電子メールアドレス等が記載される。また、遺族の連絡先として、最初に連絡すべき遺族の氏名，生年月日，遺族通信端末の電子メールアドレス，電話番号，住所等が入力され、記載される。
遺言書情報と、遺言関連情報が入力され確認されると秘密鍵で入力内容が暗号化され、公開鍵と公開鍵証明書が添付されて遺言書管理サーバに送信される（Ｓ１４）。
【００２２】
図８を参照して、遺言書管理サーバによる登録内容の編集，管理マスター作成手順について説明する。
預託者によって登録された遺言書の登録内容を、図７で説明した入力枠に接続された、または、付与された諸機能を利用して預託者関連情報，遺族関連情報，契約書関連情報に分割する（Ｓ２１）。
分割した前記内容を専用ファイルに収納する（Ｓ２２）。
【００２３】
図９を参照して、遺言書管理サーバによる行動情報把握手順，遺族への連絡手順について説明する。
遺言書管理サーバ１は、預託者端末が提供する預託者の行動情報を設定されたタイミングで収集する（Ｓ３１）。
収集結果判定プログラムによって正常と判断された場合はＳ３１に戻る。異常と判断された場合は、異常処理プログラムに接続する（Ｓ３２）。
正常，異常の判定については、図１の説明部分で簡単に記述したが、例えば、行動情報が継続して送信されていれば正常であると判断する。
異常処理プログラムに接続されると、遺言書管理サーバは遺族管理マスターファイルから最初に連絡すべき遺族のメールアドレス，電話番号を読出す（Ｓ３３）。
読み出された前記メールアドレス，電話番号の何れか、または、両方に対して、例えば、「受信した預託者の行動状況から判断して、何らかの異常が発生している可能性がありますので状況調査を依頼します。」や、「預託者の近況をお知らせ下さい。」などの預託者の状況調査メッセージを送信する（Ｓ３４）。
【００２４】
図１０を参照して、遺言書管理サーバによる遺言書送信手順について説明する。
遺言書管理サーバ１は、Ｓ３４で調査依頼した結果を遺族から受信する（Ｓ４１）。生存していればＳ４１に戻る。
死亡の場合は、遺族に対して遺言書を送信するための確認を行うため、照合用パスワードを送信し、入力枠に入力されたパスワードと一致したら、共通鍵または、公開鍵によって送信した遺言書を復号してもらう（Ｓ４２）。
前述のパスワードは、例えば、遺族の氏名，生年月日，預託者の氏名など何れでもよい。
預託者が事前に登録したデータと一致していれば遺言書の開示を行う。
【００２５】
図１１を参照して、遺言書管理サーバによる預託管理費徴収手順について説明する。
公証役場の遺言書登録画面に表示される登録諸、または、契約書の中に遺言書管理費に関する条項を設ける。Ｓ５１，Ｓ５２に示すように、遺言書管理費については、例えば、契約期間中一定のタイミングで管理費を預託者の預金口座から引き落とす、または、クレジットカードから引き落とすように記載し、契約する。
遺言書管理費を預託者の預金口座から引き落とした後、電子メール、または、葉書などによって引き落とし結果を預託者に通知する（Ｓ５３）。
契約条項の選択によって、契約時一括して管理費を支払うようにすることもできる。その場合は、図１１の手続は必要としない。
【産業上の利用可能性】
【００２６】
電子フォームを利用したネット上での遺言書や、内容証明等の預託分野に利用できる。
【図面の簡単な説明】
【００２７】
【図１】本発明の遺言書管理システムの装置構成と、それぞれの装置の役割について説明するための図である。
【図２】遺言書管理サーバの機能について説明するための図である。
【図３】預託者端末の機能について説明するための図である。
【図４】遺言書登録端末の機能について説明するための図である。
【図５】遺族通信端末の機能について説明するための図である。
【図６】遺言書管理サーバによる遺言書登録手順について説明するための図である。
【図７】遺言書登録端末による遺言入力，送信手順について説明するための図である。
【図８】遺言書管理サーバによる登録内容の編集，管理マスター作成手順について説明するための図である。
【図９】遺言書管理サーバによる行動情報把握手順，遺族への連絡手順について説明するための図である。
【図１０】遺言書管理サーバによる遺言書送信手順について説明するための図である。
【図１１】遺言書管理サーバによる預託管理費徴収手順について説明するための図である。
【符号の説明】
【００２８】
１      遺言書管理サーバ
２      預託者端末
３      遺言書登録端末
４      遺族通信端末
５      電信電話会社
１１    公証役場遺言書登録画面
１２    預託者管理マスター
１３    遺族管理マスター
１４    契約書管理マスター
１０１  遺言書管理サーバの機能
２０１  預託者端末の機能
３０１  遺言書登録端末の機能
４０１  遺族通信端末の機能
１０１１  公証役場画面配信・登録情報管理機能
１０１２  行動情報受信機能・分析機能
１０１３  送信機能・遺族認証機能・暗号化機能
２０１１  行動情報送信機能
２０１２  受信機能・情報格納機能
３０１１  通信機能・Ｗｅｂ入力機能・暗号化機能
４０１１  入力機能・送受信機能
４０１２  本人認証機能・復号機能
【図１】
2006059283.tif 000003
【図２】
2006059283.tif 000004
【図３】
2006059283.tif 000005
【図４】
2006059283.tif 000006
【図５】
2006059283.tif 000007
【図６】
2006059283.tif 000008
【図７】
2006059283.tif 000009
【図８】
2006059283.tif 000010
【図９】
2006059283.tif 000011
【図１０】
2006059283.tif 000012
【図１１】
2006059283.tif 000013